(57)【特許請求の範囲】
【請求項１】
ワイヤレスネットワークのユーザ機器によって実行される方法であって、
前記ネットワークから受信した設定に従って、複数の時間周波数リソースのそれぞれに対してチャネル品質測定を実行することであって、前記設定は、実行される前記チャネル品質測定の数を示す情報と、少なくとも１つの測定ポジションインデックスとを含む、前記実行することと、
前記測定ポジションインデックスに対する変調符号化方式（ＭＣＳ）値を特定することと、
前記特定したＭＣＳ値を示す情報を、前記ワイヤレスネットワークに送信することと、
を含み、前記特定することは、
前記チャネル品質測定で得られた複数の測定値であって、チャネル品質の低いものから高いものに並べられた測定値から、前記測定ポジションインデックスから導かれる測定値を特定することと、
前記特定した測定値に対応するＭＣＳ値を特定することと、
を含む方法。
【請求項２】
ワイヤレスネットワークのユーザ機器によって実行される方法であって、
前記ネットワークから受信した設定に従って、複数の時間周波数リソースのそれぞれに対してチャネル品質測定を実行することであって、前記設定が、実行されるべき前記チャネル品質測定の数を示す情報と、少なくとも１つの平均ブロック誤り確率（ＢＬＥＰ）値とを含む、前記実行することと、
前記平均ブロック誤り確率についての変調符号化方式（ＭＣＳ）値を特定することと、
前記特定したＭＣＳ値を示す情報を、前記ワイヤレスネットワークに送信することと、
を含み、前記特定することは、
前記複数のチャネル品質測定の測定値を用いて累積分布関数を作成することと、
前記累積分布関数の値が、前記平均ブロック誤り確率値となるチャネル品質値を特定することと、
前記特定したチャネル品質値に対応するＭＣＳ値を特定することと、
を含む、方法。
【請求項３】
前記特定したチャネル品質値に対応するＭＣＳ値を特定することは、ルックアップテーブルを使用してＭＣＳ値を特定することを含む、請求項１又は２に記載の方法。
【請求項４】
前記、実行されるべき前記チャネル品質測定の数を示す情報は、時間領域リソースの数および周波数領域区分の指示を含む、請求項１〜３のいずれか１項に記載の方法。
【請求項５】
前記設定は、無線リソース制御（ＲＲＣ）設定であり、前記測定を実行することは、
前記ＲＲＣ設定に基づいて、周期的なチャネル品質測定を実行することと、
前記ＲＲＣ設定に基づいて、非周期的なチャネル品質測定を実行することと、
のうちの少なくとも１つを含む、請求項１〜４のいずれか１項に記載の方法。
【請求項６】
前記チャネル品質測定は、信号対干渉雑音比（ＳＩＮＲ）測定である、請求項１〜５のいずれか１項に記載の方法。
【請求項７】
処理手段及び記憶手段を備える装置であって、前記装置はプログラム命令を格納し、前記プログラム命令は、前記処理手段に実行されると、前記装置に、請求項１〜６のいずれか１項に記載の方法を遂行させるように構成される、装置。
【請求項８】
ネットワークから受信した設定に従って、複数の時間周波数リソースのそれぞれに対してチャネル品質測定を実行する手段であって、前記設定は、実行される前記チャネル品質測定の数を示す情報と、少なくとも１つの測定ポジションインデックスとを含む、前記実行する手段と、
前記測定ポジションインデックスに対する変調符号化方式（ＭＣＳ）値を特定する手段と、
前記特定したＭＣＳ値を示す情報を、前記ワイヤレスネットワークの基地局に送信する手段と、
を備え、前記特定することが、
前記チャネル品質測定で得られた複数の測定値であって、チャネル品質の低いものから高いものに並べられた測定値から、前記測定ポジションインデックスから導かれる測定値を特定することと、
前記特定した測定値に対応するＭＣＳ値を特定することと、
を含む、装置。
【請求項９】
ネットワークから受信した設定に従って、複数の時間周波数リソースのそれぞれに対してチャネル品質測定を実行する手段であって、前記設定が、実行されるべき前記チャネル品質測定の数を示す情報と、少なくとも１つの平均ブロック誤り確率（ＢＬＥＰ）値とを含む、前記実行する手段と、
前記平均ブロック誤り確率についての変調符号化方式（ＭＣＳ）値を特定する手段と、
前記特定したＭＣＳ値を示す情報を、前記ワイヤレスネットワークに送信する手段と、
を備え、前記特定することが、
前記複数のチャネル品質測定の測定値を用いて累積分布関数を作成することと、
前記累積分布関数の値が、前記平均ブロック誤り確率値となるチャネル品質値を特定することと、
前記特定したチャネル品質値に対応するＭＣＳ値を特定することと、
を備える、装置。
【請求項１０】
請求項７〜９のいずれか１項に記載の装置を備えるユーザ機器。
【請求項１１】
ワイヤレスネットワークの基地局によって実行される方法であって、
変調符号化方式（ＭＣＳ）を決定するためにユーザ機器により実行される複数のチャネル品質測定のための設定を、前記ユーザ機器に送信することであって、前記設定は、実行される前記チャネル品質測定の数を示す情報と、少なくとも１つの測定ポジションインデックスとを含む、前記送信することと、
前記測定ポジションインデックスに対応するＭＣＳ値を表す情報を前記ユーザ機器から受信することと、
を含む方法。
【請求項１２】
ワイヤレスネットワークの基地局によって実行される方法であって、
変調符号化方式（ＭＣＳ）を決定するためにユーザ機器により実行される複数のチャネル品質測定のための設定を、前記ユーザ機器に送信することであって、前記設定は、実行される前記チャネル品質測定の数を示す情報と、少なくとも１つの平均ブロック誤り確率（ＢＬＥＰ）値とを含む、前記送信することと、
前記平均ブロック誤り確率値に対応するＭＣＳ値を表す情報を前記ユーザ機器から受信することと、
を含む方法。
【請求項１３】
前記、実行されるべき前記チャネル品質測定の数を示す情報は、時間領域リソースの数および周波数領域区分の指示を含む、請求項１１又は１２に記載の方法。
【請求項１４】
前記設定は、無線リソース制御（ＲＲＣ）設定であり、前記チャネル品質測定が周期的または非周期的のいずれであるかを指示する、請求項１１〜１３のいずれか１項に記載の方法。
【請求項１５】
前記受信したＭＣＳ値のうち、下りリンク送信に使用されるものを選択することと、
前記選択したＭＣＳ値に基づいて、前記ユーザ機器に前記下りリンク送信を送信することと、
をさらに含む、請求項１１〜１４のいずれか１項に記載の方法。
【請求項１６】
前記推定されたＭＣＳ値を選択することは、前記ワイヤレスネットワークのレイテンシ要件に基づく、請求項１５に記載の方法。
【請求項１７】
処理手段及び記憶手段を備える装置であって、前記装置はプログラム命令を格納し、前記プログラム命令は、前記処理手段に実行されると、前記装置に、請求項１１〜１６のいずれか１項に記載の方法を遂行させるように構成される、装置。
【請求項１８】
変調符号化方式（ＭＣＳ）を決定するためにユーザ機器により実行される複数のチャネル品質測定のための設定を、前記ユーザ機器に送信する手段であって、前記設定は、実行される前記チャネル品質測定の数を示す情報と、少なくとも１つの測定ポジションインデックスとを含むの、前記送信する手段と、
前記測定ポジションインデックスに対応するＭＣＳ値を表す情報を前記ユーザ機器から受信する手段と、
を備える装置。
【請求項１９】
変調符号化方式（ＭＣＳ）を決定するためにユーザ機器により実行される複数のチャネル品質測定のための設定を、前記ユーザ機器に送信する手段であって、前記設定は、実行される前記チャネル品質測定の数を示す情報と、少なくとも１つの平均ブロック誤り確率（ＢＬＥＰ）値とを含む、前記送信する手段と、
前記平均ブロック誤り確率値に対応するＭＣＳ値を表す情報を前記ユーザ機器から受信する手段と、
を備える方法。
【請求項２０】
基地局である、請求項１７〜１９のいずれか１項に記載の装置。
【請求項２１】
請求項７〜９のいずれか１項に記載の装置および請求項１７〜１９のいずれか１項に記載の装置を備える通信システム。
【請求項２２】
装置の処理手段に実行されると、前記装置に、請求項１〜６のいずれか１項に記載の方法を遂行させるように構成されるプログラムコードを備えるコンピュータプログラム。
【請求項２３】
装置の処理手段に実行されると、前記装置に、請求項１１〜１６のいずれか１項に記載の方法を遂行させるように構成されるプログラムコードを備えるコンピュータプログラム。
【発明の詳細な説明】
【技術分野】
【０００１】
本発明は、全般的に、ワイヤレスネットワークに関し、特に、無線システムにおけるチャネル品質指標（ＣＱＩ：ｃｈａｎｎｅｌ  ｑｕａｌｉｔｙ  ｉｎｄｉｃａｔｏｒ）の測定およびレポート手順、リンクアダプテーション（ＬＡ：ｌｉｎｋ  ａｄａｐｔａｔｉｏｎ）、ならびに超高信頼性・低レイテンシ通信（ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ）のサポートに関する。
【背景】
【０００２】
本セクションは、下記で開示される本発明の背景または文脈を提供するものとする。本願明細書の記載は、追求され得る概念を含むこともあるが、必ずしも以前に着想、実装、または記載された概念であるとは限らない。したがって、本願明細書に別段明示的に示されない限り、本セクションに記載される事項は、本出願の記載に対する従来技術ではなく、本セクションに含めることによって従来技術であると認められるものでもない。本明細書および／または図面に含まれることのある略語は、下記、詳細な説明のセクションの主要部分の後に定義される。
【０００３】
超高信頼性・低レイテンシ通信（ＵＲＬＬＣ）は、現在、５Ｇ  Ｎｅｗ  ｒａｄｉｏ（ＮＲ）の標準化作業において盛んに話題になっている。将来の５Ｇ  ＮＲネットワークは、１ｍｓの最大レイテンシ、および１０−５（つまり９９．９９９％）に達する成功確率で（比較的小さい）パケットを無事に配信できなければならない。他のレイテンシ目標（例として５ｍｓおよび１０ｍｓなど）に対しても、超高信頼性通信のユースケースはある。
【摘要】
【０００４】
本セクションは、例を含むものとし、限定的な意図はない。
【０００５】
実施形態の例では、ワイヤレスネットワークのユーザ機器によって、ネットワークにより受信された設定に従っていくつかのチャネル品質測定を実行することであって、設定は、実行されるいくつかのチャネル品質測定を示し、少なくとも１つの処理値を含むセットを備え、少なくとも１つの値は、平均ブロック誤り確率（ＢＬＥＰ：ｂｌｏｃｋ−ｅｒｒｏｒ  ｐｒｏｂａｂｉｌｉｔｙ）値または測定ポジションインデックスのいずれかを備える、実行することと、チャネル品質測定に基づいて、セット内の各処理値に対する変調符号化方式（ＭＣＳ：ｍｏｄｕｌａｔｉｏｎ  ａｎｄ  ｃｏｄｉｎｇ  ｓｃｈｅｍｅ）値を推定することと、推定されたＭＣＳ値の指示を、ユーザ機器からワイヤレスネットワークの基地局に送信することと、を含む方法が開示される。
【０００６】
実施形態のさらなる例は、コンピュータプログラムがプロセッサ上で実行されると前の段落の方法を実行するためのコードを備えるコンピュータプログラムを含む。コンピュータプログラムは、コンピュータとともに使用されるようにコンピュータ可読媒体において具現化されたコンピュータプログラムコードを保持するコンピュータ可読媒体を備えるコンピュータプログラム製品である、本段落に従ったコンピュータプログラム。
【０００７】
装置の例は、１つ以上のプロセッサと、コンピュータプログラムコードを含む１つ以上のメモリとを含む。１つ以上のメモリおよびコンピュータプログラムコードは、１つ以上のプロセッサとともに、装置に少なくとも、ワイヤレスネットワークのユーザ機器によって、ネットワークにより受信された設定に従っていくつかのチャネル品質測定を実行することであって、設定は、実行されるいくつかのチャネル品質測定を示し、少なくとも１つの処理値を含むセットを備え、少なくとも１つの値は、平均ブロック誤り確率（ＢＬＥＰ）値または測定ポジションインデックスのいずれかを備える、実行することと、チャネル品質測定に基づいて、セット内の各処理値に対する変調符号化方式（ＭＣＳ）値を推定することと、推定されたＭＣＳ値の指示を、ユーザ機器からワイヤレスネットワークの基地局に送信することと、をさせるように構成される。
【０００８】
実施形態の別の例において、装置は、ワイヤレスネットワークのユーザ機器によって、ネットワークにより受信された設定に従っていくつかのチャネル品質測定を実行する手段であって、設定は、実行されるいくつかのチャネル品質測定を示し、少なくとも１つの処理値を含むセットを備え、少なくとも１つの値は、平均ブロック誤り確率（ＢＬＥＰ）値または測定ポジションインデックスのいずれかを備える、実行する手段と、チャネル品質測定に基づいて、セット内の各処理値に対する変調符号化方式（ＭＣＳ）値を推定する手段と、推定されたＭＣＳ値の指示を、ユーザ機器からワイヤレスネットワークの基地局に送信する手段とを備える。
【０００９】
実施形態の例において、変調符号化方式（ＭＣＳ）を決定するためにユーザ機器により実行されるいくつかのチャネル品質測定のための設定を、ワイヤレスネットワークの基地局によって決定することであって、設定は、実行されるいくつかのチャネル品質測定の指示と、少なくとも１つの処理値を含むセットとを少なくとも備える、決定することと、設定を基地局からユーザ機器に送信することと、セット内の各処理値に対する推定されたＭＣＳ値の指示をユーザ機器から受信することとを含む方法が開示される。
【００１０】
実施形態のさらなる例は、コンピュータプログラムがプロセッサ上で実行されると前の段落の方法を実行するためのコードを備えるコンピュータプログラムを含む。コンピュータプログラムは、コンピュータとともに使用されるようにコンピュータ可読媒体において具現化されたコンピュータプログラムコードを保持するコンピュータ可読媒体を備えるコンピュータプログラム製品である、本段落に従ったコンピュータプログラム。
【００１１】
装置の例は、１つ以上のプロセッサと、コンピュータプログラムコードを含む１つ以上のメモリとを含む。１つ以上のメモリおよびコンピュータプログラムコードは、１つ以上のプロセッサとともに、装置に少なくとも、変調符号化方式（ＭＣＳ）を決定するためにユーザ機器により実行されるいくつかのチャネル品質測定のための設定を、ワイヤレスネットワークの基地局によって決定することであって、設定は、実行されるいくつかのチャネル品質測定の指示と、少なくとも１つの処理値を含むセットとを少なくとも備える、決定することと、設定を基地局からユーザ機器に送信することと、セット内の各処理値に対する推定されたＭＣＳ値の指示をユーザ機器から受信することとを実行させるように構成される。
【００１２】
実施形態の別の例において、装置は、変調符号化方式（ＭＣＳ）を決定するためにユーザ機器により実行されるいくつかのチャネル品質測定のための設定を、ワイヤレスネットワークの基地局によって決定する手段であって、設定は、実行されるいくつかのチャネル品質測定の指示と、少なくとも１つの処理値を含むセットとを少なくとも備える、決定する手段と、設定を基地局からユーザ機器に送信する手段と、セット内の各処理値に対する推定されたＭＣＳ値の指示をユーザ機器から受信する手段とを備える。
【図面の簡単な説明】
【００１３】
添付の図面において：
【００１４】
【図１】図１は、非限定的な、考えられる１つの例示的システムのブロック図である。
【００１５】
【図２】図２は、セルの物理リソースブロック（ＰＲＢ：ｐｈｙｓｉｃａｌ  ｒｅｓｏｕｒｃｅ  ｂｌｏｃｋ）割り当ての例示のタイムトレースを示すグラフである。
【００１６】
【図３Ａ】図３Ａは、例示の実施形態に従った例示のルックアップテーブルを示す。
【図３Ｂ】図３Ｂは、種々の変調符号化方式に対応する曲線のセットのマッピングを示す。
【００１７】
【図４】図４は、例示の実施形態に従った測定手順および処理を示す。
【００１８】
【図５】図５は、例示の実施形態による例示の動作およびシグナリング手順を示す。
【００１９】
【図６】図６は、例示の実施形態による別の例示の動作およびシグナリング手順を示す。
【００２０】
【図７】図７は、例示の実施形態によるチャネル品質指標（ＣＱＩ）レポートを設定する非限定的な例示のメッセージを示す。
【００２１】
【図８】図８は、ＵＲＬＬＣのための拡張されたＣＱＩ測定手順の論理フロー図であり、例示的実施形態に従った、例示的方法の動作、コンピュータ可読メモリ上に具現化されたコンピュータプログラム命令の実行の結果、ハードウェアにおいて実装された論理により実行される機能、および／または機能を実行する相互接続された手段を示す。
【図９】図９は、ＵＲＬＬＣのための拡張されたＣＱＩ測定手順の論理フロー図であり、例示的実施形態に従った、例示的方法の動作、コンピュータ可読メモリ上に具現化されたコンピュータプログラム命令の実行の結果、ハードウェアにおいて実装された論理により実行される機能、および／または機能を実行する相互接続された手段を示す。
【詳細説明】
【００２２】
以下の記載は、全般的にＬＴＥ（Ｌｏｎｇ  ｔｅｒｍ  ｅｖｏｌｕｔｉｏｎ：ロングタームエボリューション）の用語を参照するが、これに限定的な意図はない。本記載は、例として５Ｇ  ＮＲワイヤレスネットワークなどの他のワイヤレスネットワークにも同様に適用可能である。例として、以下の記載では、ＬＴＥの用語である「ｅＮＢ（ｅｖｏｌｖｅｄ  Ｎｏｄｅ  Ｂ：エボルブドノードＢ）」を、５Ｇ基地局（一般に「ｇＮＢ」と呼ばれる）にも同様に適用可能である。
【００２３】
一般に、例えばＬＴＥネットワークの基地局は、下りリンク送信のために、変調符号化方式（ＭＣＳ）と呼ばれる下りリンク送信パラメータを選択する。基地局は、予測される下りリンクチャネル状態に基づいてＭＣＳを選択する。このような予測される下りリンクチャネル状態の判断を支援するために、ユーザ機器によって送信されるチャネル品質指標（ＣＱＩ）フィードバックが使用される。ＬＴＥの場合、ＣＱＩは、１０％以下の平均ブロック誤り確率（ＢＬＥＰ）でＵＥが復号できるとＵＥ（ｕｓｅｒ  ｅｑｕｉｐｍｅｎｔ：ユーザ機器）が推定する、サポートされる最高のＭＣＳに対応する。基地局は、ＣＱＩフィードバックに応じて各ユーザ機器に対するＭＣＳを調整することにより、システム容量およびカバレッジを最適化することができる。これは、一般にリンクアダプテーション（ＬＡ）と呼ばれる。
【００２４】
以下でより詳細に説明されるように、一部の例示の実施形態は、ＵＲＬＬＣのユースケースのための正確且つ柔軟なＬＡを可能にする、チャネル品質フィードバックの測定およびレポート枠組みに関する。ＬＡは、十分に低いＢＬＥＰを達成するように適切なＭＣＳを選択することを含むので、ＵＲＬＬＣの厳格な要件（上記の背景の中で言及したものなど）を満たすにあたり重要な役割を果たす。ＵＲＬＬＣの要件は、典型的には、低レイテンシおよび１−１０−５の成功確率での小さなパケットの送信に関連する。各ＵＲＬＬＣペイロード送信が満たす必要があるＢＬＥＰは必ずしも１０−５であるとは限らず、関連するレイテンシバジェットが１つ以上のＨＡＲＱ（Ｈｙｂｒｉｄ  ａｕｔｏｍａｔｉｃ  ｒｅｐｅａｔ  ｒｅｑｕｅｓｔ：ハイブリッド自動再送要求）再送を可能にする場合はより高くすることができる。例として、５〜１０ｍｓの緩やかなレイテンシ制約を想定すると、ＢＬＥＰが中程度（例えば１０−２〜１０−３）である初期のもの、およびＢＬＥＰが１０−５である第２または第３の送信（前の送信において誤りが発生した場合のみトリガされる）の、２つまたは３つのＨＡＲＱ送信を可能にすることができる。したがって、ＵＲＬＬＣのようなサービスの効率的なサポートは、小さなパケットの送信ごとに正確にＢＬＥＰを制御できるリンクアダプテーションメカニズムを要求する。
【００２５】
ＵＲＬＬＣ制約を伴う小さなペイロードの効率的なＬＡ（およびスケジューリング）に関するもう１つの課題は、無線チャネルおよび干渉の変動に関する。無線チャネルは、当然、時間領域および周波数領域両方の変動にさらされる。ＵＲＬＬＣのペイロードが一般にやや小さいことを前提とすると、多くの場合、それらはやや少数のＰＲＢ上にスケジューリングされ、周波数領域平均化をほとんど提供しない。例として、５Ｇ  ＮＲでは、ＵＲＬＬＣペイロードは３２バイトまで小さくされ得る。さらに、ＵＥが経験するＳＩＮＲ（Ｓｉｇｎａｌ  ｔｏ  ｉｎｔｅｒｆｅｒｅｎｃｅ  ａｎｄ  ｎｏｉｓｅ  ｒａｔｉｏ：信号対干渉雑音比）の時間変化も、種々のセルの急速な負荷変動が原因で、極めて大きい。以下、図２を参照する。この図面は、ＵＲＬＬＣユーザのセットにサービス提供するセルアクティビティのタイムトレース（システムレベルのシミュレーションから得られた）の例示のグラフ２００を示す。グラフ２００のｘ軸はＴＴＩインデックスに対応し、ｙ軸は物理リソースブロック（ＰＲＢ）インデックスに対応する。グラフ２００は、陰影付きのブロックをいくつか含み、それぞれの陰影は、下りリンク方向でサービス提供を受ける異なるＵＥを識別する。図２から分かるように、ＰＲＢアクティビティは、時間変化するランダムなプロセスであり、このことが、種々のＵＥにおいて経験される信号対干渉雑音比（ＳＩＮＲ）の時間変化を極めて大きくする。したがって、ＵＥが特定のＰＲＢ（または特定の時点のＰＲＢのセット）上のＳＩＮＲを測定しても、測定は、その直後に（例えば１つのＴＴＩと別のＴＴＩとで）数ｄＢ変化する可能性がある。故に、ＵＥにより経験されるＳＩＮＲの時間的および周波数的な変化を正確に追跡することは、ＣＱＩ値の測定、フォーマット、およびｅＮＢへのレポートにおける遅延、ならびに受信されたＣＱＩを下りリンク送信に使用するためのｅＮＢにおける処理遅延が理由で、現実的ではない。
【００２６】
これらの問題に関連する情報は、次の文献で確認できる：［１］Ｈ．シャリアトマダリ（Shariatmadari）、Ｚ．リー（Li）、Ｍ．Ａ．ウーシタロ（Uusitalo）、Ｓ．イラージ（Iraji）、およびＲ．ジャンティ（Jantti）著、「超高信頼性通信のためのリンクアダプテーションの設計（Link Adaptation Design for Ultra-Reliable Communications）」、ＩＥＥＥ通信に関する国際会議（IEEE International Conference on Communications）、２０１６年５月、［２］グワンモ・クー（Gwanmo Ku）およびジョン・マクラレン・ウォルシュ（John MacLaren Walsh）著、「ＬＴＥおよびＬＴＥアドバンストにおけるリソース割り当ておよびリンクアダプテーション：チュートリアル（Resource Allocation and Link Adaptation in LTE and LTE Advanced: A Tutorial）」、ＩＥＥＥ通信調査＆チュートリアル（IEEE Communication Surveys & Tutorials）、第１７巻、第３号、２０１５年第３四半期、［３］Ｋ．ペダーセン（Pedersen）ら著、「限定的で雑音の多いチャネルフィードバックを用いたＯＦＤＭＡの周波数領域スケジューリング（Frequency domain scheduling for OFDMA with limited and noisy channel feedback）」、ＩＥＥＥ車両技術会議（秋季ＶＴＣ）（IEEE Vehicular Technology Conference (VTC Fall)）、２００７年、ならびに［４］Ｒ１−１７００３７８、「ＵＲＬＬＣリンクアダプテーションの諸側面（URLLC link adaptation aspects）」、３ＧＰＰ  ＴＳＧ−ＲＡＮ  ＷＧ１  ＮＲ専門家会議（3GPP TSG-RAN WG1 NR Ad-Hoc Meeting）、２０１７年１月。
【００２７】
文献［１］は、１つの再送が可能であると想定して、特定の信頼性制約を満たすＭＣＳの最適なセットを選択するアルゴリズムを提示する。しかし、正確なＢＬＥＰ−ＭＣＳマッピングを実行するために、セルもしくはＵＥのいずれかで何の情報が必要かについても、またはチャネル変動および古いＣＱＩをどのように取り扱うかについても、詳細は示されていない。文献［２］は、１０−１（１０％）の平均ブロック誤り率（ＢＬＥＲ：Ｂｌｏｃｋ  ｅｒｒｏｒ  ｒａｔｅ）に対して定義されたＣＱＩフィードバックを定義する。ＵＥは、特定のＰＲＢ分解能（別称はサブバンド）を用いた平均有効ＳＩＮＲ測定に基づいてＣＱＩを推定する。より低い（またはより高い）ＢＬＥＲは、概して、文献［３］で提示されるものなどの独自のｅＮＢアウターループリンクアダプテーション（ＯＬＬＡ：ｏｕｔｅｒ  ｌｏｏｐ  ｌｉｎｋ  ａｄａｐｔａｔｉｏｎ）メカニズムを使用することで達成される。ＯＬＬＡは、受信されたＨＡＲＱ  ＡＣＫ／ＮＡＣＫフィードバックメッセージに従ってＢＬＥＲを調整する。しかしながら、これらのメカニズムは、遅い収束と、ＢＬＥＲのみの制御とにより特徴付けられる。このことは、ＢＬＥＲの制御では不十分なＵＲＬＬＣのユースケースに対する、これらのメカニズムの適用可能性を制限する。ＵＲＬＬＣの場合、小さなペイロードの送信のアウテージ要件を満たすために、各送信についてＢＬＥＰが制御されなければならない。最後に、文献［４］は５Ｇ  ＮＲに関し、種々のＢＬＥＲ目標のため複数のＣＱＩをレポートするようにＵＥを設定する妥当性を示す。しかしながら、具体的な手順の詳細は提示されていない。
【００２８】
例としてＵＲＬＬＣなどの状況に対して使用され得る、拡張されたチャネル品質指標（ＣＱＩ）測定手順に関する手法の説明は、例示の実施形態が使用され得るシステムの記載の後に詳細に提示される。
【００２９】
図１を参照する。この図面は、例示の実施形態が実施され得る、非限定的な、考えられる１つの例示的システムのブロック図を示す。図１では、ユーザ機器（ＵＥ）１１０がワイヤレスネットワーク１００とワイヤレス通信している。ＵＥは、ワイヤレスネットワークにアクセスすることができる、ワイヤレスの、典型的にはモバイルのデバイスである。ＵＥ１１０は、１つ以上のバス１２７により相互接続された１つ以上のプロセッサ１２０、１つ以上のメモリ１２５、および１つ以上の送受信機１３０を含む。１つ以上の送受信機１３０はそれぞれ、受信機Ｒｘ１３２および送信機Ｔｘ１３３を含む。１つ以上のバス１２７は、アドレスバス、データバス、または制御バスであってもよく、マザーボードまたは集積回路上の一連の配線、光ファイバ、または他の光通信機器、および同様のものなどの任意の相互接続メカニズムを含んでもよい。１つ以上の送受信機１３０は、１つ以上のアンテナ１２８に接続される。１つ以上のメモリ１２５は、コンピュータプログラムコード１２３を含む。ＵＥ１１０は、フィードバックモジュールを含み、フィードバックモジュールは、いくつかの形で実装され得る部分１４０−１および／または１４０−２の一方または両方を備える。フィードバックモジュールは、１つ以上のプロセッサ１２０の一部として実装されるなど、フィードバックモジュール１４０−１としてハードウェアにおいて実装されてもよい。フィードバックモジュール１４０−１は、集積回路としても、またはプログラマブルゲートアレイなどの他のハードウェアによっても実装され得る。別の例では、フィードバックモジュールは、コンピュータプログラムコード１２３として実装され１つ以上のプロセッサ１２０によって実行されるフィードバックモジュール１４０−２として実装されてもよい。例えば、１つ以上のメモリ１２５およびコンピュータプログラムコード１２３は、１つ以上のプロセッサ１２０とともに、本願明細書に記載された動作のうちの１つ以上をユーザ機器１１０に実行させるように構成されてもよい。ＵＥ１１０は、ワイヤレスリンク１１１を介してｅＮＢ１７０と通信する。
【００３０】
ｅＮＢ（エボルブドＮｏｄｅＢ）１７０は、ＵＥ１１０などのワイヤレスデバイスによるワイヤレスネットワーク１００へのアクセスを提供する（例えばＬＴＥ、ロングタームエボリューションの）基地局である。ｅＮＢ１７０は、１つ以上のバス１５７により相互接続された１つ以上のプロセッサ１５２、１つ以上のメモリ１５５、１つ以上のネットワークインターフェース（Ｎ／Ｗ  Ｉ／Ｆ（ｎｅｔｗｏｒｋ  ｉｎｔｅｒｆａｃｅ）（単数または複数））１６１、および１つ以上の送受信機１６０を含む。１つ以上の送受信機１６０はそれぞれ、受信機Ｒｘ１６２および送信機Ｔｘ１６３を含む。１つ以上の送受信機１６０は、１つ以上のアンテナ１５８に接続される。１つ以上のメモリ１５５は、コンピュータプログラムコード１５３を含む。ｅＮＢ１７０は、アダプテーションモジュールを含み、アダプテーションモジュールは、いくつかの形で実装され得る部分１５０−１および／または１５０−２の一方または両方を備える。アダプテーションモジュールは、１つ以上のプロセッサ１５２の一部として実装されるなど、アダプテーションモジュール１５０−１としてハードウェアにおいて実装されてもよい。アダプテーションモジュール１５０−１は、集積回路としても、またはプログラマブルゲートアレイなどの他のハードウェアによっても実装され得る。別の例では、アダプテーションモジュール１５０は、コンピュータプログラムコード１５３として実装され１つ以上のプロセッサ１５２によって実行されるアダプテーションモジュール１５０−２として実装されてもよい。例えば、１つ以上のメモリ１５５およびコンピュータプログラムコード１５３は、１つ以上のプロセッサ１５２とともに、本願明細書に記載された動作のうちの１つ以上をｅＮＢ１７０に実行させるように構成される。１つ以上のネットワークインターフェース１６１は、リンク１７６および１３１などを介してネットワーク上で通信する。２つ以上のｅＮＢ１７０が、例えばリンク１７６を使用して通信する。リンク１７６は、有線であっても、またはワイヤレスであっても、または両方でもよく、例えばＸ２インターフェースを実装してもよい。
【００３１】
１つ以上のバス１５７は、アドレスバス、データバス、または制御バスであってもよく、マザーボードまたは集積回路上の一連の配線、光ファイバ、または他の光通信機器、ワイヤレスチャネル、および同様のものなどの任意の相互接続メカニズムを含んでもよい。例として、１つ以上の送受信機１６０は、リモートラジオヘッド（ＲＲＨ：ｒｅｍｏｔｅ  ｒａｄｉｏ  ｈｅａｄ）１９５として、ｅＮＢ１７０の他の構成要素がＲＲＨとは物理的に異なる位置にある状態で実装されてもよく、１つ以上のバス１５７は、ｅＮＢ１７０の他の構成要素をＲＲＨ１９５に接続するために一部を光ファイバケーブルとして実装できるであろう。
【００３２】
なお、本願明細書の記載は、「セル」が機能を実行すると示すが、当然のことながら、セルを構成するｅＮＢが機能を実行する。セルは、ｅＮＢの一部を構成する。すなわち、ｅＮＢごとに複数のセルがあり得る。例えば、単一のｅＮＢのキャリア周波数および関連する帯域幅に３つのセルがあり、単一のｅＮＢのカバレッジエリアがほぼ楕円または円をカバーするように各セルが３６０度のエリアの３分の１をカバーすることが可能であろう。さらに、各セルは単一のキャリアに対応することができ、ｅＮＢは複数のキャリアを使用してもよい。したがって、キャリアごとに１２０度のセルが３つあり、２つのキャリアがあれば、ｅＮＢは合計６つのセルを有する。
【００３３】
ワイヤレスネットワーク１００は、ＭＭＥ（Ｍｏｂｉｌｉｔｙ  Ｍａｎａｇｅｍｅｎｔ  Ｅｎｔｉｔｙ：モビリティ管理エンティティ）および／またはＳＧＷ（Ｓｅｒｖｉｎｇ  Ｇａｔｅｗａｙ：サービングゲートウェイ）機能性を含み得る１つ以上のネットワーク制御要素（ＮＣＥ：ｎｅｔｗｏｒｋ  ｃｏｎｔｒｏｌ  ｅｌｅｍｅｎｔ）１９０を含んでもよく、これは、電話網および／またはデータ通信ネットワーク（例えばインターネット）などのさらなるネットワークとの接続性を提供する。ｅＮＢ１７０は、リンク１３１を介してＮＣＥ１９０に結合される。リンク１３１は、例えばＳ１インターフェースとして実装されてもよい。ＮＣＥ１９０は、１つ以上のバス１８５により相互接続された１つ以上のプロセッサ１７５、１つ以上のメモリ１７１、および１つ以上のネットワークインターフェース（Ｎ／Ｗ  Ｉ／Ｆ（単数または複数））１８０を含む。１つ以上のメモリ１７１は、コンピュータプログラムコード１７３を含む。１つ以上のメモリ１７１およびコンピュータプログラムコード１７３は、１つ以上のプロセッサ１７５とともに、１つ以上の動作をＮＣＥ１９０に実行させるように構成される。
【００３４】
ワイヤレスネットワーク１００は、ネットワーク仮想化を実装してもよい。ネットワーク仮想化は、ハードウェアおよびソフトウェアのネットワークリソースおよびネットワーク機能性をソフトウェアベースの単一の管理エンティティである仮想ネットワークに組み合わせるプロセスである。ネットワーク仮想化は、プラットフォーム仮想化を伴い、多くの場合、リソース仮想化と組み合わされる。ネットワーク仮想化は、多数のネットワークまたはネットワークの一部を仮想ユニットに組み合わせる外部的なもの、または単一システム上のソフトウェアコンテナにネットワークのような機能性を提供する内部的なもののいずれかに分類される。なお、ネットワーク仮想化から生じる仮想化エンティティは、依然として、何らかのレベルでプロセッサ１５２または１７５ならびにメモリ１５５および１７１などのハードウェアを使用して実装され、そのような仮想化エンティティも技術的効果をもたらす。
【００３５】
コンピュータ可読メモリ１２５、１５５、および１７１は、ローカル技術環境に適した任意のタイプのものであってもよく、半導体ベースのメモリデバイス、フラッシュメモリ、磁気メモリデバイスおよびシステム、光メモリデバイスおよびシステム、固定メモリ、ならびにリムーバブルメモリなど、任意の適切なデータストレージ技術を使用して実装されてもよい。コンピュータ可読メモリ１２５、１５５、および１７１は、ストレージ機能を実行するための手段とされてもよい。プロセッサ１２０、１５２、および１７５は、ローカル技術環境に適した任意のタイプのものとしてもよく、非限定的な例として、汎用コンピュータ、専用コンピュータ、マイクロプロセッサ、デジタルシグナルプロセッサ（ＤＳＰ：ｄｉｇｉｔａｌ  ｓｉｇｎａｌ  ｐｒｏｃｅｓｓｏｒ）、およびマルチコアプロセッサアーキテクチャに基づくプロセッサのうちの１つ以上を含んでもよい。プロセッサ１２０、１５２、および１７５は、ＵＥ１１０、ｅＮＢ１７０、および本願明細書に記載された他の機能の制御など、機能を実行するための手段とされてもよい。
【００３６】
一般に、ユーザ機器１１０の様々な実施形態は、次に限定はされないが、スマートフォンなどの携帯電話、タブレット、ワイヤレス通信能力を有する携帯情報端末（ＰＤＡ：ｐｅｒｓｏｎａｌ  ｄｉｇｉｔａｌ  ａｓｓｉｓｔａｎｔ）、ワイヤレス通信能力を有するポータブルコンピュータ、ワイヤレス通信能力を有するデジタルカメラなどの画像捕捉デバイス、ワイヤレス通信能力を有するゲーム用デバイス、ワイヤレス通信能力を有する音楽記憶再生機器、ワイヤレスインターネットアクセスおよびブラウジングを可能にするインターネット機器、ワイヤレス通信機能を備えたタブレット、ならびにそのような機能の組み合わせを組み入れたポータブルユニットまたは端末を含むことができる。
【００３７】
このように、例示の実施形態の実施のための適切であるが非限定的な１つの技術的文脈を紹介したが、以下では、例示の実施形態をより具体的に記載する。
【００３８】
例示の実施形態に関連する手法は、概して、設定、ＵＥ測定アクション、ＵＥ測定処理、ならびにＣＱＩレポートおよびフォーマット、の４つのステップを参照して説明できる。これらのステップそれぞれについて、以下、より入念に詳述する。
【００３９】
１．設定：ｅＮＢは、Ｎ個の時間領域リソースとＭ個の周波数領域リソースとのグリッド上で下りリンクの経験されるチャネル品質を測定するようにＵＥを設定する。ｅＮＢはさらに、ＣＱＩのインデックスに対応するＭＣＳを用いてｅＮＢが送信すると最大Ｘ％のＢＬＥＰをもたらすＣＱＩ値をレポートするようにＵＥを設定する。典型的には、ＬＴＥでは、いくつの測定サンプルが実行され、どのような種類のフィルタリングがチャネル品質測定に適用されるかを決定するのはＵＥの実装に委ねられるが、これに対して、このステップにおける設定は、ネットワーク（例えばｅＮＢ）により実行され、測定サンプルの数は、リソースのグリッドに基づく。チャネル品質は、例として、ＵＥにより経験されたＳＩＮＲとして測定できる。５Ｇ  ＮＲの専門用語を採用すると、各時間領域リソースは、ミニスロットまたはスロットの継続期間に対応してもよく、各周波数領域リソースは、１つのＰＲＢまたはＰＲＢのグループ（サブバンドとしても既知である）からなってもよい。同様に、ＬＴＥ−Ａの場合、各時間領域リソースは、１つのショートＴＴＩ（ｓＴＴＩ：ｓｈｏｒｔ  ＴＴＩ）、スロット、またはサブフレームに対応してもよい。Ｎ、Ｍ、およびＸの値は、ネットワークから、例としてＲＲＣシグナリングなどにより、上位レイヤシグナリングを介してＵＥに対し設定されてもよい。
【００４０】
２．ＵＥ測定アクション：ＵＥは、経験された下りリンクチャネル品質を、Ｎ×Ｍの無線リソースのグリッド上で、つまりＮ×Ｍ＝Ｋ個の測定サンプルを収集することによって測定する。経験されるチャネル品質の測定は、ムービングウィンドウとして実行でき、その結果、測定サンプルは、最も最近のＫ個の測定サンプルを表現し、これが、下記のステップ３および４に記載されるように、その後ｅＮＢにレポートされるＣＱＩを判断するために使用される。
【００４１】
３．ＵＥ測定処理：ＵＥは、その経験されたチャネル品質のＫ個の測定サンプルをソートし、これらの測定サンプルを使用して、経験されたチャネル品質の経験的サンプル分布を構築する。ＵＥは、経験的サンプル分布から、ＳＩＮＲ＝ＳＩＮＲ＿ｏｕｔａｇｅに対応する、Ｘ％のアウテージ値における経験されたチャネル品質（ＳＩＮＲ）を特定する。概念上、Ｋ個の個々の値の経験的Ｘパーセンタイル（０≦Ｘ＜１００）は、０からインデックスを付けて、ソートされたＫ値の下限から（Ｋ＊Ｘ／１００）番目に対応する。
【００４２】
ＵＥは、内部ルックアップテーブルなどのルックアップテーブルを利用して、Ｘ％以下のＢＬＥＰでＵＥが復号できるＳＩＮＲ＿ｏｕｔａｇｅのＳＩＮＲ値に対してサポートされる最高のＭＣＳを判断してもよい。したがって、このルックアップテーブルは、サポートされるＭＣＳ（または少なくとも、ＣＱＩの一部としてレポート可能なＭＣＳ）について、ＢＬＥＰ対ＳＩＮＲを備える。非限定的な例示のルックアップテーブルが図３Ａに示されている。例示のルックアップテーブルは、３つの列、すなわちＢＬＥＰ値の列、ＳＩＮＲ値の範囲の列、および種々のＭＣＳの列を含む。非限定的なもう１つの例は、ＢＬＥＰ対ＳＩＮＲの曲線のセットを含むルックアップテーブルであり、各曲線が、ＣＱＩレポートの一部としてｅＮＢにシグナリングで返されてもよいサポートされるＭＣＳに対応する。種々のＭＣＳに対応する曲線のセットのＢＬＥＰ対ＳＩＮＲ値のグラフを示す図３Ｂに、例が示されている。図３Ａおよび図３Ｂのルックアップテーブルは、単なる例であり、限定的な意図はない。
【００４３】
そのような、種々のＭＣＳに関するＳＩＮＲ対ＢＬＥＰテーブルは、種々のＭＣＳに関するＵＥのパフォーマンスを反映する、ＵＥモデムベンダによる広範なリンクレベルシミュレーションから得られてもよい。このテーブルは、現在のＬＴＥ  ＣＱＩ方式には十分な、１０％のＢＬＥＰに過ぎない点を含むがこれに限定されない、相当に低いＢＬＥＰ値に至る点を含んでもよい。ＭＣＳに対して設定される曲線（例えばテーブルの値）は、特定の量子化に対応するパフォーマンスにおいて、すなわちＳＩＮＲ対ＣＱＩのマッピングに対応して、例として１ｄＢ異なり得る。
【００４４】
なお、ＵＥ測定処理ステップを上述したのとは異なる順序で行い、依然として同じ結果を達成することが可能である。例として、ＳＩＮＲのＣＱＩに対するマッピングは、量子化された値の経験的Ｘパーセンタイルを判断する前に実行されてもよい。
【００４５】
４．ＣＱＩレポートおよびフォーマット：ＵＥは、このＭＣＳ値を指し示すインデックスを含むＣＱＩのレポートをｅＮＢに返す。
【００４６】
上述のステップは、例えば、ｅＮＢが、その小さなＵＲＬＬＣペイロードを、ＵＥから受信された最新のＣＱＩに対応するＭＣＳを用いてＵＥに送信することを可能にし、送信の経験されるＢＬＥＰがＸ％を超えないことを確実にする。これは、ＵＥにより経験されるチャネル品質が広い意味で固定的なプロセスであり、このプロセスが、観測されるＮ×Ｍのサンプルにわたり、さらにそれに続く、ＵＥがステップ３およびステップ４を完了するのにかかる時間の短期ウィンドウカウント、ならびに受信されたＣＱＩに続いてｅＮＢがＵＥへの新たなＵＲＬＬＣ送信をスケジューリングするまでにｅＮＢで生じ得る遅延にわたり、同じ統計的特性を維持すると想定している。
【００４７】
図４も参照する。この図面は、例示の実施形態に従った例示の測定手順および処理の簡略図を示す。図４は、ユーザ機器によって実行された、経験されたチャネル品質（ＳＩＮＲ）を示すヒートマップ３０２を含む。ヒートマップ３０２内の各ブロックは無線リソースに対応し、ヒートマップ３０２内のそれぞれの陰影付きの区画は、凡例３０４により示されるＳＩＮＲの種々の値を表現する。本例では、ユーザ機器は、矢印３０６、３０８によって示されるように、Ｎ×Ｍの測定サンプルのＳＩＮＲを測定する。次に、矢印３１０で示されるように、これらのサンプルが処理されて、経験的サンプル分布３１２がもたらされる。次にＵＥは、経験的サンプル分布３１２から、ＳＩＮＲ＝ＳＩＮＲ＿ｏｕｔａｇｅに対応する、Ｘ％のアウテージ値におけるＳＩＮＲを特定する。これは図４で点３１４により表現される。アウテージ値の特定は、ＵＥの内部ルックアップテーブルに基づいてもよい。
【００４８】
一部の例示の実施形態によれば、ｅＮＢは、２つ以上のＢＬＥＰ制約のセットＬ＝｛Ｘ１％，Ｘ２％，…，ＸＪ％｝を用いてＵＥを設定してもよく、このケースでは、ＵＥは、ＣＱＩレポートの一部として、単一のＭＣＳに対するインデックスのみでなく、セットＬ内のＢＬＥＰ制約それぞれに対応するＭＣＳ値に対するインデックスをレポートしなければならない。
【００４９】
一部の例示の実施形態によれば、ＵＥは、上記ステップ３に記載されたように経験的サンプル分布からＸ％のアウテージ値において経験されたチャネル品質（ＳＩＮＲ）を特定するとき、収集されたＫ個の測定の、最も低い、またはＱ番目に低い値（Ｑ＝１，２，３，…，Ｋ）を使用するように設定されてもよい。Ｑの値は、上記ステップ１の一環としてｅＮＢによって設定されてもよい。これは、Ｋ個のサンプルの数がＸ％アウテージにおけるＳＩＮＲ値を確実に判断するには不十分であるケースでは特に有用かもしれない。
【００５０】
上記の例示の手法を使用して、ＵＥは、例として５Ｇ  ＵＲＬＣＣ要件などのレイテンシ要件を満たすためにｅＮＢが使用しなければならないＭＣＳを表す、ＵＥの経験したチャネル品質のＸパーセンタイルアウテージに実質的に対応するＣＱＩをレポートしてもよい。
【００５１】
以下、図５を参照する。この図面は、例示の実施形態に従った例示の動作およびシグナリング手順を示す。４０２にて、ｅＮＢ（例えばｅＮＢ１７０）は、少なくとも１つのＢＬＥＰ制約および測定されるリソースの指示を含むＲＲＣ設定をＵＥ（例えばＵＥ１１０）に送信する。図５では、少なくとも１つのＢＬＥＰ制約はセットＬ＝｛Ｘ１％，Ｘ２％，…，ＸＪ％｝として示され、リソースの指示は、測定されるＮ個の時間領域リソースおよびＭ個の周波数領域リソースにそれぞれ対応するＮおよびＭと示される。４０４にてＵＥは、Ｎ×Ｍの無線リソースに対応する数であるＫ個のチャネル品質測定サンプルを収集する。４０６にてＵＥは、測定サンプルをソートし、４０８にてＵＥは、対応するＭＣＳを推定するために各ＢＬＥＰ制約を読み取る。４１０にてＵＥは、推定されたＭＣＳのセット、すなわち｛ＭＣＳ１，ＭＣＳ２，…，ＭＣＳｊ｝をｅＮＢに送信する。ＵＥが周期的ＣＱＩレポートのために設定される場合、ＵＥはステップ４０４〜４０６を繰り返すように設定されてもよい。
【００５２】
以下、図６を参照する。この図面は、例示の実施形態に従った、チャネル品質指標（ＣＱＩ）レポートを設定するための別の例示のメッセージを示す。５０２にてｅＮＢ（例えばｅＮＢ１７０）は、Ｑ＝｛Ｑ１，Ｑ２，…，Ｑｊ｝と示される少なくとも１つの値のセット、ならびにＵＥによって測定されるＮ個の時間領域リソースの指示およびＭ個の周波数領域リソースの指示それぞれを含むＲＲＣ設定をＵＥ（例えばＵＥ１１０）に送信する。５０４にてＵＥは、数Ｋ個の測定を収集するために、持続時間Ｎおよび周波数分解能Ｍにわたってチャネル測定を実行した。ＵＥは、収集されたＫ個の測定のうちのＱ１，Ｑ２，…，Ｑｊ番目に低い値のみを維持し、ステップ５０６にて、Ｑ１，Ｑ２，…，Ｑｊ番目に低い値それぞれの対応するＭＣＳを推定する。５０８にてＵＥは、推定されたＭＣＳのセット、すなわち｛ＭＣＳ１，ＭＣＳ２，…，ＭＣＳｊ｝をｅＮＢに送信する。ＵＥが周期的ＣＱＩレポートのために設定される場合、ＵＥはステップ５０４〜５０６を繰り返すように設定されてもよい。
【００５３】
以下、非限定的な５Ｇ  ＮＲの例を参照しながら、ｅＮＢからＵＥへのＲＲＣ設定についてさらに記載する。この例では、１５ｋＨｚサブキャリア間隔、１２サブキャリアのＰＲＢサイズ、および２シンボルのミニスロットスケジューリング（すなわち０．１４ｍｓのＴＴＩサイズ）があると想定する。ｇＮＢは、ＵＥを次のように設定してもよい：Ｎ＝７０にセットし、その結果、ＵＥは時間領域において１０ｍｓの間隔（すなわち７０のミニスロットに対応する）にわたって測定を収集しなければならない。キャリア帯域幅が１００ＰＲＢからなる場合、ｇＮＢは、Ｍ＝１００またはＭ＝２５（すなわち４ＰＲＢのサブバンド分解能を使用）にセットすることができるであろう。これは次を生じるであろう：Ｍ＝２５のケースではＫ＝１７５０、Ｍ＝１００のケースではＫ＝７０００。したがって、ＵＥはそのＣＱＩレポートを、それぞれ１７５０または７０００の測定サンプルに基づいて行うことになるであろう。新たなＣＱＩ値は、例えばＬＴＥにおいて典型的に行われる５ｍｓごとなどの測定間隔とは異なる周期性でレポートされ得るであろう。
【００５４】
図７を参照する。この図面は、例示の実施形態によるチャネル品質指標（ＣＱＩ）レポートを設定する非限定的な例示のメッセージ７００を示す。メッセージ７００は、ＣＱＩレポートのためにＵＥを設定するべくｅＮＢによって送信、使用されてもよい。本例におけるメッセージ７００は、ＬＴＥリリース８（すなわち３ＧＰＰ３６．３３１、「無線リソース制御（Radio resource control）」）で定義された周期的ＣＱＩレポートメッセージであり、ＣＱＩが、ＲＲＣ設定プロセス（ＲＲＣ接続セットアップまたはＲＲＣ接続再設定）の一環として設定される。メッセージ７００の下線部は、ＣＱＩレポートのためにＵＥを設定するために使用され得る追加情報を示す。本例では、ｐは、目標ＢＬＥＰの負の指数を示す１〜９の間のＩＮＴＥＧＥＲである（例えばｐ＝１は１０−１を意味し、ｐ＝９は１０−９を意味する）。ｔａｒｇｅｔＢＬＥＰパラメータは、例として、上記で図５を参照して記載されたプロセスにおいて使用されてもよい。Ｑは１〜９９の間の一連の整数であり、例として上記で図６を参照して記載されたプロセスを可能にする。メッセージ７００中のＮおよびＭのパラメータは、それぞれ、監視される時間領域および周波数領域のリソースの量である。このように、メッセージ７００はｔａｒｇｅｔＢＬＥＰおよびＱの両方のパラメータを含むが、これが限定的なものとしてみなされないことは理解されるであろう。例として、メッセージ７００は、ｔａｒｇｅｔＢＬＥＰおよび／またはＱパラメータを含んでもよい。さらに、当業者であれば当然のことながら、後のＬＴＥリリースおよび非周期的ＣＱＩに対する同様の変更も類似する。
【００５５】
上述のように、ＵＥは、ＵＥからのＣＱＩレポートをｅＮＢに送信する。このＣＱＩは、ＵＥのチャネル状態情報（ＣＳＩ：ｃｈａｎｎｅｌ  ｓｔａｔｅ  ｉｎｆｏｒｍａｔｉｏｎ）レポートの一部として含まれてもよい。ＬＴＥの場合、ＣＳＩレポートは、ＬＴＥ  ＰＵＣＣＨにおいてｅＮＢに送信される。通常のまたは拡張されたサイクリックプレフィックス、多重化、または１もしくは２ビットによらないＨＡＲＱ−ＡＣＫなどをサポートする、種々のフォーマットが定義されている（例えば３ＧＰＰ３６．２１３参照）。拡張されたＣＱＩをサポートするための新たなフォーマットが定義されてもよい。ＬＴＥ−Ａリリース１０では、ＣＳＩレポートの最大長は２１ビットであり、最大５ＣＣを用いるＴＤＤのフォーマット３に対応する。リリース１４では、より大きなメッセージを用いるフォーマット４および５が定義された。同様に、ＵＲＬＬＣのための拡張されたＣＱＩのサポートは、複数のＣＱＩ値が単一のメッセージ中でレポートされ得るので、より大きなメッセージサイズ、したがって新たなフォーマットを要求する。
【００５６】
一部の例において、上述したプロセスは、周期的および非周期的両方のＣＱＩフィードバックレポートに適用されてもよい。非周期的フィードバックを用いるケースの場合、ＵＥがチャネル品質測定を連続的に監視および収集すれば、ＣＱＩリクエストとＣＱＩレポートとの間の遅延を軽減できる。ＣＱＩリクエストがｅＮＢから受信されると、ＵＥは、最も最近のＮ個の測定に基づいてＣＱＩを判断してもよい。
【００５７】
一部の例では、記録ウィンドウ長Ｎは、関心のあるパーセンタイルに比較的良好なレベルの精度を提供するのに十分大きく設定される。これは、１０−５パーセンタイルに至る情報が要求されることがあるＵＲＬＬＣのユースケースに関して特に意味がある。さらに、記録ウィンドウ長は、例えばコヒーレンス、可変性、定常性など、チャネル特性に従って調整することができる。このオプションの１つの課題は、低いパーセンタイルの信頼できる測定を得るために個別の値が多数必要であり、ソートすることそれ自体がコストのかかる演算であるということである。こうした問題にはツリー構造を使用することで対処されてもよく、個別の値が新たに利用可能になるたびに、それらを、任意の古い値の除去後に挿入できる。古い値へのポインタを保持するためにすべての個別の値へのポインタがリングバッファに維持されてもよい。
【００５８】
多数のサンプルを記憶およびソートすることを要求しない別の例では、「バイアス」ＩＩＲフィルタが、各チャネル品質測定ｙ（ｔ）に次のように適用される：
0006811333.tif 000002
式中、Ｅｂ（ｔ）は、時刻ｔにおけるチャネル品質の、バイアスされた期待値であり、ｆｕｐおよびｆｄｏｗｎは、ｅＮＢによって設定される（つまり前に提示されたＲＲＣ設定メッセージに含まれる）。比率ｆｕｐ／ｆｄｏｗｎは、フィルタのバイアスを決定する：ｆｕｐ＝ｆｄｏｗｎは、平均値の推定を目指す典型的なＩＩＲフィルタに対応し、どちらかといえば高い或るパーセンタイル（例として対称分布および単峰分布の５０パーセンタイル）のヒューリスティックマッチングを行うのに対し、ｆｕｐ＜ｆｄｏｗｎにセットすると、分布のより低いパーセンタイルへと推定にバイアスをかける。
【００５９】
図８は、ＵＲＬＬＣのための拡張されたチャネル品質指標（ＣＱＩ）測定手順の論理フロー図である。この図面は、例示的実施形態に従った、単数または複数の例示的方法の動作、コンピュータ可読メモリ上に具現化されたコンピュータプログラム命令の実行の結果、ハードウェアにおいて実装された論理により実行される機能、および／または機能を実行する相互接続された手段をさらに示す。例えばフィードバックモジュール１４０−１および／または１４０−２は、図８のブロックのうちの複数のブロックを含んでもよく、その場合、含まれる各ブロックは、ブロック内の機能を実行する相互接続された手段である。図８のブロックは、例えば少なくとも部分的にフィードバックモジュール１４０−１および／または１４０−２の制御下で、ＵＥ１１０によって実行されると想定される。
【００６０】
図８を参照する。例示の実施形態において、ワイヤレスネットワークのユーザ機器によって、ブロック８００により示されるように、ネットワークにより受信された設定に従っていくつかのチャネル品質測定を実行することであって、設定は、実行されるいくつかのチャネル品質測定を示し、少なくとも１つの処理値を含むセットを備え、少なくとも１つの値は、平均ブロック誤り確率（ＢＬＥＰ）値または測定ポジションのいずれかを備える、実行することと、ブロック８０２により示されるように、チャネル品質測定に基づいて、セット内の各処理値に対する変調符号化方式（ＭＣＳ）値を推定することと、ブロック８０４により示されるように、推定されたＭＣＳ値の指示を、ユーザ機器からワイヤレスネットワークの基地局に送信することと、を含む方法が提供される。
【００６１】
本方法は、ユーザ機器によって、チャネル品質測定に基づくチャネル品質分布を生成することを含んでもよい。
【００６２】
少なくとも１つの処理値は、平均ブロック誤り確率（ＢＬＥＰ）値を含んでもよく、ＭＣＳ値を推定することは、ＢＬＥＰ値をチャネル品質分布と比較することによりアウテージ値を判断することと、ルックアップテーブルを使用して、アウテージ値をＭＣＳ値にマッピングすることとを含んでもよい。
【００６３】
少なくとも１つの処理値は、ポジションの指示を含んでもよく、ＭＣＳ値を推定することは、チャネル品質測定の順位を判断することと、測定ポジションインデックスに対応するチャネル品質測定に対するＭＣＳ値を推定することとを含む。
【００６４】
チャネル品質測定は、最低チャネル品質から最高チャネル品質の順に並べられる。
【００６５】
設定は、時間領域リソースの数および周波数領域区分の指示を含んでもよい。
【００６６】
セットは、２つ以上の処理値を含んでもよく、送信することは、２つ以上の処理値それぞれに対する推定されたＭＣＳ値の指示を送信することを含んでもよい。
【００６７】
設定は、無線リソース制御（ＲＲＣ）設定であってもよく、測定を実行することは、ＲＲＣ設定に基づいて、周期的なチャネル品質測定を実行することと、ＲＲＣ設定に基づいて、非周期的なチャネル品質測定を実行することとのうちの少なくとも１つを含んでもよい。
【００６８】
チャネル品質測定は、信号対干渉雑音比（ＳＩＮＲ）測定であってもよい。
【００６９】
別の例示の実施形態において、装置は、少なくとも１つのプロセッサと、コンピュータプログラムコードを含む少なくとも１つの非一時的メモリとを含んでもよく、少なくとも１つのメモリおよびコンピュータプログラムコードは、少なくとも１つのプロセッサとともに装置に少なくとも、ワイヤレスネットワークのユーザ機器によって、ネットワークにより受信された設定に従っていくつかのチャネル品質測定を実行することであって、設定は、実行されるいくつかのチャネル品質測定を示し、少なくとも１つの処理値を含むセットを備え、少なくとも１つの値は、平均ブロック誤り確率（ＢＬＥＰ）値または測定ポジションインデックスのいずれかを備える、実行することと、チャネル品質測定に基づいて、セット内の各処理値に対する変調符号化方式（ＭＣＳ）値を推定することと、推定されたＭＣＳ値の指示を、ユーザ機器からワイヤレスネットワークの基地局に送信することと、を実行させるように構成される。
【００７０】
少なくとも１つのメモリおよびコンピュータプログラムコードは、少なくとも１つのプロセッサとともに、装置に少なくとも、ユーザ機器によってチャネル品質測定に基づくチャネル品質分布を生成することを実行させるように構成されてもよい。
【００７１】
少なくとも１つの処理値は、平均ブロック誤り確率（ＢＬＥＰ）値を含んでもよく、ＭＣＳ値を推定することは、ＢＬＥＰ値をチャネル品質分布と比較することによりアウテージ値を判断することと、ルックアップテーブルを使用して、アウテージ値をＭＣＳ値にマッピングすることとを含んでもよい。
【００７２】
少なくとも１つの処理値は、ポジションの指示を含んでもよく、ＭＣＳ値を推定することは、チャネル品質測定の順位を判断することと、測定ポジションインデックスに対応するチャネル品質測定に対するＭＣＳ値を推定することとを含む。
【００７３】
チャネル品質測定は、最低チャネル品質から最高チャネル品質の順に並べられる。
【００７４】
設定は、時間領域リソースの数および周波数領域区分の指示を含んでもよい。
【００７５】
セットは、２つ以上の処理値を含んでもよく、送信することは、２つ以上の処理値それぞれに対する推定されたＭＣＳ値の指示を送信することを含んでもよい。
【００７６】
設定は、無線リソース制御（ＲＲＣ）設定であってもよく、測定を実行することは、ＲＲＣ設定に基づいて、周期的なチャネル品質測定を実行することと、ＲＲＣ設定に基づいて、非周期的なチャネル品質測定を実行することとのうちの少なくとも１つを含んでもよい。
【００７７】
チャネル品質測定は、信号対干渉雑音比（ＳＩＮＲ）測定であってもよい。
【００７８】
ユーザ機器は、段落［００６９］〜［００７７］のいずれか１つによる装置を備えてもよい。
【００７９】
別の例示の実施形態によれば、装置は、ワイヤレスネットワークのユーザ機器によって、ネットワークにより受信された設定に従っていくつかのチャネル品質測定を実行する手段であって、設定は、実行されるいくつかのチャネル品質測定を示し、少なくとも１つの処理値を含むセットを備え、少なくとも１つの値は、平均ブロック誤り確率（ＢＬＥＰ）値または測定ポジションインデックスのいずれかを備える、実行する手段と、チャネル品質測定に基づいて、セット内の各処理値に対する変調符号化方式（ＭＣＳ）値を推定する手段と、推定されたＭＣＳ値の指示を、ユーザ機器からワイヤレスネットワークの基地局に送信する手段とを備えてもよい。
【００８０】
図９は、ＵＲＬＬＣのための拡張されたチャネル品質指標（ＣＱＩ）測定手順の論理フロー図である。この図面は、例示的実施形態に従った、単数または複数の例示的方法の動作、コンピュータ可読メモリ上に具現化されたコンピュータプログラム命令の実行の結果、ハードウェアにおいて実装された論理により実行される機能、および／または機能を実行する相互接続された手段をさらに示す。例えばアダプテーションモジュール１５０−１および／または１５０−２は、図９のブロックのうちの複数のブロックを含んでもよく、その場合、含まれる各ブロックは、ブロック内の機能を実行する相互接続された手段である。図９のブロックは、例えば少なくとも部分的にアダプテーションモジュール１５０−１および／または１５０−２の制御下で、ｅＮＢ１７０などの基地局によって実行されると想定される。
【００８１】
図９を参照する。例示の実施形態において、ワイヤレスネットワークの基地局によって、ブロック９００により示されるように、変調符号化方式（ＭＣＳ）を決定するためにユーザ機器によって実行されるいくつかのチャネル品質測定のための設定を決定することであって、設定は、実行されるいくつかのチャネル品質測定を示し、少なくとも１つの処理値を含むセットを備え、少なくとも１つの値は、平均ブロック誤り確率（ＢＬＥＰ）値または測定ポジションのいずれかを備える、決定することと、ブロック９０２により示されるように、設定を基地局からユーザ機器に送信することと、ブロック９０４により示されるように、セット内の各処理値に対する推定されたＭＣＳ値の指示をユーザ機器から受信することとを含む方法が提供される。
【００８２】
セットは、１つ以上の平均ブロック誤り確率（ＢＬＥＰ）値を含んでもよい。
【００８３】
セットは、１つ以上の測定ポジションインデックスを備えてもよい。
【００８４】
設定は、時間領域リソースの数および周波数領域区分の指示を含んでもよい。
【００８５】
設定は、無線リソース制御（ＲＲＣ）設定であってもよく、チャネル品質測定が周期的または非周期的のいずれであるかを指示する。
【００８６】
本方法は、ユーザ機器によって指示された推定されたＭＣＳ値のうち、下りリンク送信に使用されるものを選択することと、選択されたＭＣＳ値に基づいて、ユーザ機器に下りリンク送信を送信することとを含んでもよい。
【００８７】
推定されたＭＣＳ値を選択することは、ワイヤレスネットワークのレイテンシ要件に基づいてもよい。
【００８８】
別の例示の実施形態によれば、装置は、少なくとも１つのプロセッサと、コンピュータプログラムコードを含む少なくとも１つの非一時的メモリとを備えてもよく、少なくとも１つのメモリおよびコンピュータプログラムコードは、少なくとも１つのプロセッサとともに装置に少なくとも、変調符号化方式（ＭＣＳ）を決定するためにユーザ機器により実行されるいくつかのチャネル品質測定のための設定を、ワイヤレスネットワークの基地局によって決定することであって、設定は、実行されるいくつかのチャネル品質測定の指示と、少なくとも１つの処理値を含むセットとを少なくとも備える、決定することと、設定を基地局からユーザ機器に送信することと、セット内の各処理値に対する推定されたＭＣＳ値の指示をユーザ機器から受信することと、を実行させるように構成される。
【００８９】
セットは、１つ以上の平均ブロック誤り確率（ＢＬＥＰ）値を含んでもよい。
【００９０】
セットは、１つ以上の測定ポジションインデックスを備えてもよい。
【００９１】
設定は、時間領域リソースの数および周波数領域区分の指示を含んでもよい。
【００９２】
設定は、無線リソース制御（ＲＲＣ）設定であってもよく、チャネル品質測定が周期的または非周期的のいずれであるかを指示する。
【００９３】
少なくとも１つのメモリおよびコンピュータプログラムコードは、少なくとも１つのプロセッサとともに、装置に少なくとも、ユーザ機器によって指示された推定されたＭＣＳ値のうち、下りリンク送信に使用されるものを選択することと、選択されたＭＣＳ値に基づいて、ユーザ機器に下りリンク送信を送信することとを実行させるように構成されてもよい。
【００９４】
推定されたＭＣＳ値を選択することは、ワイヤレスネットワークのレイテンシ要件に基づいてもよい。
【００９５】
基地局は、段落［００８８］〜［００９４］のいずれか１つによる装置を備えてもよい。
【００９６】
さらに別の実施形態によれば、装置は、変調符号化方式（ＭＣＳ）を決定するためにユーザ機器により実行されるいくつかのチャネル品質測定のための設定を、ワイヤレスネットワークの基地局によって決定する手段であって、設定は、実行されるいくつかのチャネル品質測定の指示と、少なくとも１つの処理値を含むセットとを少なくとも備える、決定する手段と、設定を基地局からユーザ機器に送信する手段と、セット内の各処理値に対する推定されたＭＣＳ値の指示をユーザ機器から受信する手段とを備えてもよい。
【００９７】
通信システムは、段落［００６９］〜［００７７］のいずれか１つに従った装置および段落［００８８］〜［００９４］のいずれか１つに従った装置を含んでもよい。
【００９８】
コンピュータプログラムは、段落［００６０］〜［００６８］または［００８１］〜［００８７］のいずれかによる方法を実行するためのプログラムコードを含んでもよい。コンピュータプログラムは、コンピュータとともに使用されるようにコンピュータ可読媒体において具現化されたコンピュータプログラムコードを保持するコンピュータ可読媒体を備えるコンピュータプログラム製品であってもよい。
【００９９】
添付の特許請求の範囲の範囲、解釈、または適用を一切限定することなく、本願明細書において開示された例示の１つ以上の実施形態の技術的効果は、小さなパケットの散発的な送信がｅＮＢ側では追跡困難な急速に変化する干渉につながる、ＵＲＬＬＣトラフィックのＬＡの課題に対処することである。同時に、ｅＮＢにレポートされる複数のＣＱＩインデックス（それぞれ関連した異なるＢＬＥＰ制約を有する）は、スペクトル効率の高いリンクアダプテーションの実行を可能にする。個々のＵＲＬＬＣパケットそれぞれのレイテンシおよび信頼性制約に従ってＢＬＥＰを柔軟に調整できるからである。本願明細書において開示された例示の１つ以上の実施形態のもう１つの技術的効果は、干渉が急激に変動する困難な環境においてＵＲＬＬＣ要件を満たす支援をすることである。本願明細書において開示された例示の１つ以上の実施形態のもう１つの技術的効果は、各ＢＬＥＰ制約につき１つのみのＣＱＩ値がレポートされることである。これは、ＣＱＩがサブバンドベースでレポートされる一部のＬＴＥ  ＣＱＩレポートの構成と比較して、より低い上りリンクフィードバックオーバーヘッドをもたらす。
【０１００】
本願明細書の実施形態は、ソフトウェア（１つ以上のプロセッサによって実行される）、ハードウェア（例えば特定用途向け集積回路）、またはソフトウェアとハードウェアとの組み合わせにおいて実装され得る。例示の実施形態において、ソフトウェア（例えばアプリケーション論理、命令セット）は、様々な従来のコンピュータ可読媒体のうちの任意のものにおいて維持される。本文書の文脈では、「コンピュータ可読媒体」は、コンピュータなどの命令実行システム、装置、もしくはデバイスによって、またはそれに関連して使用される命令を含むこと、記憶すること、伝達すること、伝播させること、または搬送することができる任意の媒体または手段であってもよく、コンピュータの一例が、例えば図１において説明され、示された。コンピュータ可読媒体は、コンピュータなど、命令実行システム、装置、またはデバイスによって、またはそれに関連して使用される命令を含むこと、記憶すること、および／または搬送することができる任意の媒体または手段とされてもよい、コンピュータ可読ストレージ媒体（例えばメモリ１２５、１５５、１７１、またはその他デバイス）を備えてもよい。コンピュータ可読ストレージ媒体は、伝搬信号を備えない。
【０１０１】
必要に応じて、本願明細書で説明された種々の機能は、異なる順序で実行されること、および／または互いに同時に実行されることが可能である。さらに、必要に応じて、上記の機能のうちの１つ以上を、任意選択とすることも、または組み合わせることもできる。
【０１０２】
本発明の様々な側面が独立クレームに記載されているが、本発明の他の側面は、特許請求の範囲に明示的に記載された組み合わせのみではなく、その他、記載された実施形態および／または従属クレームからの特徴と、独立クレームの特徴との組み合わせを備える。
【０１０３】
さらに、本願明細書において、上記の事項は本発明の例示の実施形態について記載しているが、これらの記載は、限定的な意味に捉えられてはならないということを指摘しておく。それどころか、添付の特許請求の範囲において定義される本発明の範囲から逸脱することなく加えることができる。
【０１０４】
本明細書および／または図面に含まれることのある以下の略語は、次のとおり定義される：
３ＧＰＰ      第３世代パートナーシッププロジェクト（３ｒｄ  ｇｅｎｅｒａｔｉｏｎ  ｐａｒｔｎｅｒｓｈｉｐ  ｐｒｏｊｅｃｔ）
ＢＬＥＲ      ブロック誤り率
ＢＬＥＰ      ブロック誤り確率
ＣＣ      コンポーネントキャリア（Ｃｏｍｐｏｎｅｎｔ  Ｃａｒｒｉｅｒ）
ＣＤＦ      累積分布関数（Ｃｕｍｕｌａｔｉｖｅ  ｄｉｓｔｒｉｂｕｔｉｏｎ  ｆｕｎｃｔｉｏｎ）
ＣＱＩ      チャネル品質指標
ｅＮＢ（またはｅＮｏｄｅＢ）      エボルブドノードＢ（例えばＬＴＥ基地局）
ＨＡＲＱ      ハイブリッド自動再送要求
Ｉ／Ｆ      インターフェース
ＬＡ      リンクアダプテーション
ＬＴＥ      ロングタームエボリューション
ＭＣＳ      変調符号化方式
ＭＭＥ      モビリティ管理エンティティ
ＮＣＥ      ネットワーク制御要素
Ｎ／Ｗ      ネットワーク
ＰＲＢ      物理リソースブロック
ＲＲＨ      リモートラジオヘッド
Ｒｘ      受信機
ＳＧＷ      サービングゲートウェイ
ＳＩＮＲ      信号対干渉雑音比
Ｔｘ      送信機
ＱｏＳ      サービス品質（Ｑｕａｌｉｔｙ  ｏｆ  ｓｅｒｖｉｃｅ）
ＵＥ      ユーザ機器（例えばワイヤレス、典型的にはモバイルのデバイス）
ＵＲＬＬＣ    超高信頼性・低レイテンシ通信
【図１】
0006811333.tif 000003
【図２】
0006811333.tif 000004
【図３Ａ】
0006811333.tif 000005
【図３Ｂ】
0006811333.tif 000006
【図４】
0006811333.tif 000007
【図５】
0006811333.tif 000008
【図６】
0006811333.tif 000009
【図７】
0006811333.tif 000010
【図８】
0006811333.tif 000011
【図９】
0006811333.tif 000012